(57)【要約】【課題】簡単な構造で安価に実施することができながらも、物品の取り出し口を確実に閉止することができるとともに、軽い力でキャップを外すことができ、種々の容器にも実施することができる容器における物品の取り出し口の開閉装置を提供できるようにする。【解決手段】キャップは物品の取り出し口を閉じたときに容器側部材の肩部に近接乃至当接する部分が長円若しくは楕円あるいは角形等の中心から周縁部分までの距離が異なる角型若しくは星型の形状にするとともに、キャップの容器側部材への装着時に、前記容器側部材の物品の取り出し口周縁に設けた掛合受け部に掛合する掛合部をキャップの内方に形成し、容器側部材の肩部には前記キャップの周縁までの長い距離の部分の回転軌跡より内方で、短い距離の回転軌跡中にキャップを肩部から離間させる隆起部を設け、キャップと容器側部材とを相対回転させることにより、キャップの周縁までの距離が短い部分が前記隆起部に乗り上げて、掛合受け部とこれに掛合する掛合部との掛合を解除するように構成した。【選択図】図２
2011225270.tif 000002
【特許請求の範囲】
【請求項１】
容器の物品取り出し口に嵌着され、注ぎ口等の物品の取り出し口を有する容器側部材と、前記容器側部材の物品の取り出し口に嵌着されるキャップとを備え、このキャップと容器側部材との相対回転により物品の取り出し口を開放可能なキャップとからなる容器における物品の取り出し口の開閉装置であって、キャップは物品の取り出し口を閉じたときに容器側部材の肩部に近接乃至当接する部分が長円若しくは楕円あるいは角形等の中心から周縁部分までの距離が異なる角型若しくは星型の形状にするとともに、キャップの容器側部材への装着時に、前記容器側部材の物品の取り出し口周縁に設けた掛合受け部に掛合する掛合部をキャップの内方に形成し、容器側部材の肩部には前記キャップの周縁までの長い距離の部分の回転軌跡より内方で、短い距離の回転軌跡中にキャップを肩部から離間させる隆起部を設け、キャップと容器側部材とを相対回転させることにより、キャップの周縁までの距離が短い部分が前記隆起部に乗り上げて、掛合受け部とこれに掛合する掛合部との掛合を解除するように構成したことを特徴とする容器における物品の取り出し口の開閉装置。
【請求項２】
にかかる容器における物品の取り出し口の開閉装置では、容器側部材の物品の取り出し口が小径の円筒状に形成され、当該円筒状の外周面に掛合受け部を連続若しくは不連続の環状に形成し、キャップの内部の中央部分に前記筒状に形成された物品の取り出し口に外嵌する円筒部分を形成し、当該円筒部分の下端の内周面に前記掛合受け部に掛合する複数の掛合部を形成するとともに、掛合部間に拡開用スリットを形成したことを特徴とする請求項１に記載の容器における物品の取り出し口の開閉装置。
【請求項３】
掛合受け部若しくはこれに当接して掛合する掛合部の当接面の少なくとも一方が、容器側部材の軸線に対して掛合が離脱しやすい角度の傾斜面に形成されていることを特徴とする請求項１または請求項２に記載の容器における開口部の開閉装置。
【発明の詳細な説明】
【技術分野】
【０００１】
本発明は、粒体や粉体、あるいは液体を貯留した容器の物品の取り出し口を開閉する、容器における物品の取り出し口の開閉装置に関するものである。
【背景技術】
【０００２】
一般に、容器の物品の取り出し口に嵌着されキャップ（蓋）の開閉装置としては、容器の物品の取り出し口の外周に雄螺子を形成し、この雄螺子に嵌合する雌螺子をキャップの内周面に形成し、容器とキャップとを相対回転させることにより、キャップを容器の物品の取り出し口に着脱可能にしたものが多い。
ところがこうしたものでは密封性をよくするために、容器とキャップとを一回転以上相対回転させる必要があり、その操作性に問題があった。
【０００３】
こうした問題を解消するために、例えば特許文献１に示すものが提案されている。
この特許文献１に記載されたものは、シール状態が良好に維持され、小さな力で簡単且つ確実に閉蓋することができる容器を提供するために、物品の取り出し口（開口部）を有する容器本体と、この容器本体の首部に嵌合されるキャップ（蓋体）とからなり、物品の取り出し口の周縁部分を四角形にし、その周囲四辺の中央個所に外向きに嵌合部を突出するとともに、前記嵌合部に対応するキャップの内周面部分に前記嵌合部に掛合する掛止片を内方に向けて突出形成し、使用にあたっては、キャップと容器本体とを相対回転させて、掛止片と嵌合部との掛合を解いて蓋を取り物品の取り出し口を開く。
物品の取り出し口を閉じる場合、キャップを物品の取り出し口の上方から押し込むことにより、キャップの掛止片部分を弾性変形させて嵌合部をのりこえさせて掛止片部分の弾性変形により嵌合部とを掛合させてキャップで容器本体の物品の取り出し口を蓋するようにしたものが開示されている。
【０００４】
ところが、こうしたものでは、容器本体の物品の取り出し口の周縁部分に直接形成されていることから、容器本体の特に物品の取り出し口の形状（形や口径等）が変わると、その都度キャップもつくりなおさなくてはならず、汎用性に欠け、生産性が悪くコスト高になってしまうという問題があった。
【０００５】
さらに、特許文献１の図１に開示されているように物品の取り出し口を楕円にし、掛止片を設けたキャップの内周面が、四角形の物品の取り出し口周面に当接乃至は近接するように形成されており、キャップの開閉操作時には、このキャップ全体を弾性変形させなくてはならず、大きな操作力を必要とするという問題もある。
【先行技術文献】
【特許文献】
【０００６】
【特許文献１】特開平１１−１０５８９８号公報
【発明の概要】
【発明が解決しようとする課題】
【０００７】
本発明は上記問題点に鑑み提案されたもので、簡単な構造で安価に実施することができながらも、物品の取り出し口を確実に閉止することができるとともに、軽い力でキャップを外すことができ、種々の容器にも実施することができる容器における物品の取り出し口の開閉装置を提供できるようにすることを目的とするものである。
【課題を解決するための手段】
【０００８】
本発明は上記目的を達成するために本発明にかかる容器における物品の取り出し口の開閉装置は、容器の物品取り出し口に嵌着され、注ぎ口等の物品の取り出し口を有する容器側部材と、前記容器側部材の物品の取り出し口に嵌着されるキャップとを備え、このキャップと容器側部材との相対回転により物品の取り出し口を開放可能なキャップとからなる容器における物品の取り出し口の開閉装置であって、キャップは物品の取り出し口を閉じたときに容器側部材の肩部に近接乃至当接する部分が長円若しくは楕円あるいは角形等の中心から周縁部分までの距離が異なる角型若しくは星型の形状にするとともに、キャップの容器側部材への装着時に、前記容器側部材の物品の取り出し口周縁に設けた掛合受け部に掛合する掛合部をキャップの内方に形成し、容器側部材の肩部には前記キャップの周縁までの長い距離の部分の回転軌跡より内方で、短い距離の回転軌跡中にキャップを肩部から離間させる隆起部を設け、キャップと容器側部材とを相対回転させることにより、キャップの周縁までの距離が短い部分が前記隆起部に乗り上げて、掛合受け部とこれに掛合する掛合部との掛合を解除するように構成したことを最も主要な特徴とするものである。
【０００９】
本発明にかかる容器における物品の取り出し口の開閉装置では、容器側部材の物品の取り出し口が小径の円筒状に形成され、当該円筒状の外周面に掛合受け部を連続若しくは不連続の環状に形成し、キャップの内部の中央部分に前記筒状に形成された物品の取り出し口に外嵌する円筒部分を形成し、当該円筒部分の下端の内周面に前記掛合受け部に掛合する複数の掛合部を形成するとともに、掛合部間に拡開用スリットを形成したことや、掛合受け部若しくはこれに当接して掛合する掛合部の当接面の少なくとも一方が、容器側部材の軸線に対して掛合が離脱しやすい角度の傾斜面に形成されていることも特徴とするものである。
【発明の効果】
【００１０】
本発明の容器における物品の取り出し口の開閉装置によれば、キャップは物品の取り出し口を閉じたときに容器側部材の肩部に近接乃至当接する部分が長円若しくは楕円あるいは角形等の中心から周縁部分までの距離が異なる角型若しくは星型の形状にするとともに、キャップの容器側部材への装着時に、前記容器側部材の物品の取り出し口の周縁に設けた掛合受け部に掛合する掛合部をキャップの内方に形成し、容器側部材の肩部には前記キャップの周縁までの長い距離の部分の回転軌跡より内方で、短い距離の回転軌跡中にキャップを肩部から離間させる隆起部を設けて構成するようにしてあるので、その構造も簡単であり安価に実施することができる。
【００１１】
また、キャップの取り外しは、キャップと容器側部材とを相対回転させることにより、キャップの周縁までの距離が短い部分が前記隆起部に乗り上げて、掛合受け部とこれに掛合する掛合部との掛合を解除するように構成してあるので、その回転操作力は小さいもので済み、軽い操作力で容易にキャップを外すことができる利点がある。
【００１２】
加えて、キャップと、容器の物品取り出し口に嵌着される容器側部材とで本発明にかかる容器における物品の取り出し口の開閉装置が形成されるので、種々の形状の容器に装着することができ、汎用性に富むものにすることができる利点がある。
【図面の簡単な説明】
【００１３】
【図１】は本発明にかかる容器における物品の取り出し口の開閉装置を装着した容器の斜視図である。
【図２】は本発明にかかる容器における物品の取り出し口の開閉装置の縦断正面図である。
【図３】は本発明にかかる容器における物品の取り出し口の開閉装置の容器側部材の正面図である。
【図４】は本発明にかかる容器における物品の取り出し口の開閉装置の容器側部材の縦断正面図である。
【図５】は本発明にかかる容器における物品の取り出し口の開閉装置の容器側部材の平面図である。
【図６】は本発明にかかる容器における物品の取り出し口の開閉装置を構成するキャップの正面図である。
【図７】は本発明にかかる容器における物品の取り出し口の開閉装置を構成するキャップの縦断正面図である。
【図８】は本発明にかかる容器における物品の取り出し口の開閉装置を構成するキャップの底面図である。
【図９】は本発明にかかる容器における物品の取り出し口の開閉装置の作用を説明する平面図である。
【発明を実施するための形態】
【００１４】
以下、本発明にかかる容器における物品の取り出し口の開閉装置の最も好ましい実施の形態を図面に基づいて説明する。
図１は本発明にかかる容器における物品の取り出し口の開閉装置を装着した容器の斜視図、図２は物品の取り出し口の開閉装置の縦断正面図であって、図中符号１は物品の取り出し口の開閉装置を装着した容器を全体的に示す。
この容器１は、例えば蜂蜜やコンデンスミルクあるいはマヨネーズ等の粘性液体流動物を貯留するものであって、容器本体２を弾性させて中の粘性流体を押し出せるようにするために、ポリプロピレン樹脂で上部に開口部３（図２参照）を有するようにブロー成型された半透明の容器本体２と、当該容器本体２の開口部３に装着される開閉装置４とを備えてなる。
【００１５】
上記容器１の開口部３は、短寸の円筒状に形成され、その円筒部分５の周面に雄螺子６が形成されるとともに、円筒部分５の上端に形成されている。
上記開閉装置４は、前記容器本体２の円筒部分５に形成された雄螺子６に嵌着される容器側部材７と、当該容器側部材７に着脱可能なキャップ８とからなる。
【００１６】
容器側部材７は、上記容器本体２の円筒部分５に形成された雄螺子６に螺合する雌螺子９を内周面に形成した装着部１０と、当該装着部１０の上面の中央部分から上方に突出する小径の筒状ノズル（物品の取り出し口）１１とからなり、装着部１０の内面には容器本体２の開口部３の周面に密に当接する環状の封止部が垂下されている。
上記筒状ノズル１１は先端が先細り上に形成されるとともに、筒状ノズル１１の中間高さの外周面には後述するキャップ８の掛合部１３が掛合する掛合受け部１４が環状に形成されている。
【００１７】
掛合受け部１４には図２に示すように、キャップ８の掛合部１３が掛合する下面が容器側部材７の軸線に対して掛合が離脱しやすい方向の角度θ（６０°＜θ＜９０°の範囲）を有する傾斜面１６に形成されている。
この角度θが６０°＜θ＜９０°の範囲で形成されているのは、６０°未満では、少しの衝撃でキャップ８が外れてしまうためである。
また、筒状ノズル１１の基部の周辺、つまり容器側部材７の肩部には図３および図５に示すように平面視において楕円形の隆起部１７が形成されている。
この隆起部１７は、長軸方向（中心Ｃからの距離が長い方向）１８の両端部が高く、短軸方向（中心Ｃからの距離が短い方向側）１９で低くなっている（図３および図５参照）。
【００１８】
一方、上記キャップ８は図６乃至図８に示すようになっている。
すなわち、弾性を有する合成樹脂により、上方が小径の円形で、広がる下方が楕円状で開口するカップ状に形成され、下部の開口する楕円状部分は、上記隆起部１７に外嵌するようになっており、楕円の短軸方向１９の外周面部分には正面視において台形の厚肉部分２０が形成されている。
そして、上記隆起部１７はキャップ８の開口する下部の楕円の長軸方向１８側の端部の回転軌跡２１内で、短軸方向１９側の端部の回転軌跡２２内に形成されている（図９参照）。
また、キャップ８の内面中央部１１には容器側部材７の筒状ノズル１１の周縁に設けられた前記掛合受け部１６に掛合する掛合部１３が形成されている。
【００１９】
上記掛合部１３は、キャップ８の内部の中央部分に、前記筒状に形成された筒状ノズル１１に外嵌する円筒部分２１を形成し、この円筒部分２１の下端の内周面に前記掛合受け部１４に掛合するように鉤形の掛合部分２２を複数個、等間隔に形成するとともに、隣り合う掛合部分２２、２２間には拡開用スリット２３を形成して構成されている。
そして、鉤形の掛合部分２２の掛合受け部１４に当接する面は、掛合受け部１４と同様に掛合が離脱しやすい方向の角度θに形成するようにしてあるが、この角度θは本例のように必ずしも掛合部分２２と掛合受け部１４の双方に形成されていなくてもよい。
【００２０】
例えば掛合部分２２と掛合受け部１４のいずれか一方の面を掛合が離脱しやすい方向の角度θを有する傾斜面１６に形成されていれば、他方は線接触や点接触にすることもできる。
また、上記キャップ８の天板の中央部分にはシール用の環状部２４が内外に形成されており、この環状部２４間に筒状ノズル１１の先端部分が蜜に嵌合してシール作用をするようになっている。
【００２１】
上記のように構成された容器１における筒状ノズル（物品の取り出し口）１１の開閉装置４の使用手順を次に説明する。
容器側部材７の上方からキャップ８を押し込み、キャップ８の掛合部１３を容器側部材７の掛合受け部１４に掛合させてキャップ８を予め容器側部材７に装着しておく。
キャップ８を装着した容器側部材７の雌螺子９を、蜂蜜やマヨネーズ、コンデンスミルク等の粘性流体を充填したポリプロピレン製の容器本体２の開口部３の雄螺子６部分に螺合させて、容器側部材７を容器本体２に装着する（図１参照）。
【００２２】
斯くして、容器本体２の開口部３に嵌着された容器１における開閉装置４のキャップ８を外して筒状ノズル１１を開く場合を説明する。
先ず、容器本体２若しくは容器本体２に装着した容器側部材７を一方の手で掴み、他方の手でキャップ８を回動させると、この容器側部材７とキャップ８との相対回転により、図９に示すようにキャップ８の周縁までの距離が短い部分、短軸方向１９のが、その回転軌跡２２中に形成された隆起部１７に乗り上げてキャップ８が押し上げられる。
こうしてキャップ８が押し上げられると、これまで掛合受け部１４に掛合していたキャップ８の掛合部１３が、拡開用スリット２３部分で外側に広がり、掛合受け部１４を乗り越えるので、キャップ８は上方に取り外すことができる。
【００２３】
次に、使用後に筒状ノズル１１をキャップ８で蓋する場合、キャップ８の下部の楕円形状と容器側部材７の肩部の形成された前記隆起部１７とを位置あわせした状態で容器側部材７の上方からキャップ８を押し込む。
すると、キャップ８の掛合部１３が、拡開用スリット２３部分で外側に広がり、掛合受け部１４を乗り越えた後、弾性復帰してキャップ８の掛合部分１３が掛合受け部１４に掛合すると、キャップ８が容器側部材７にしっかりと装着された状態になる。
こうしてキャップ８が容器側部材７に装着されると、筒状ノズル１１の先端部分がキャップ８内に内外二重に形成された環状部２４間に蜜に嵌合してシールされているので、容器１が不意に転倒しても、その内容物が漏れ出たりするのが防止される。
【００２４】
尚、上記実施の形態では、隆起部１７とこれに嵌合するキャップ８の下部の形状を楕円若しくは長円にしてあるが、こうした形状に限られず例えば三角形や長方形等の多角形あるいは星形等にすることができる。
上記実施の形態では、キャップ９の短軸側方向１９の外面に台形の厚肉部分２０を形成するようにしてあるがこうしたものに限られず、この厚肉部分２０は無くすことができるのは勿論のことである。
因みに、上記実施の形態では開閉装置４を螺子嵌合により容器本体２に取り付けるようにしてあるが、螺子嵌合に代えて、一旦、装着すると容易に外すことができない、いわゆる「嵌め殺し」にして取り付けるようにすることもできるのは言うまでも無いことである。
【符号の説明】
【００２５】
１・・・容器
２・・・容器本体
３・・・開口部
４・・・開閉装置
５・・・円筒部分
６・・・雄螺子
７・・・容器側部材
８・・・キャップ
９・・・雌螺子
１０・・・装着部
１１・・・筒状ノズル（物品取り出し口）
１２・・・封止部
１３・・・掛合部
１４・・・掛合受け部
１５・・・軸線
１６・・・傾斜面
１７・・・隆起部
１８・・・長軸方向
１９・・・短軸方向
２０・・・厚肉部分
２１・・・円筒部
２２・・・掛合部
２３・・・拡開用スリット
２４・・・シール用環状部
２５・・・補強用リブ
【図１】
2011225270.tif 000003
【図２】
2011225270.tif 000004
【図３】
2011225270.tif 000005
【図４】
2011225270.tif 000006
【図５】
2011225270.tif 000007
【図６】
2011225270.tif 000008
【図７】
2011225270.tif 000009
【図８】
2011225270.tif 000010
【図９】
2011225270.tif 000011